(57)【要約】【課題】使用者が不意に冷水ミストや熱水ミストを浴びる事故を防止することが可能なミスト式浴室暖房装置を提供する。【解決手段】給湯管３から供給される温水を噴霧するミスト・ノズル１１と、給湯管３からミスト・ノズル１１に供給される温水の断通を行う発停弁２２とを備えたミスト式浴室暖房装置１において、ミスト・ノズル１１の近傍の所定の範囲内に使用者がいる場合にそれを検出する人感センサ１０を設け、人感センサ１０が使用者を検出しているときには発停弁２２を閉止状態とする発停弁制御部２４を設けた。【選択図】        図２
2005237475.tif 000002
【特許請求の範囲】
【請求項１】
給湯管から供給される温水を噴霧するミスト・ノズルと、
前記給湯管から前記ミスト・ノズルに供給される温水の断通を行う発停弁と、
を備えたミスト式浴室暖房装置において、
前記ミスト・ノズル近傍の所定の範囲内に物体がある場合にそれを検出する人感センサと、
前記人感センサが物体を検出しているときには前記発停弁を閉止状態とする制御を行う発停弁制御部と、
を備えていることを特徴とするミスト式浴室暖房装置。
【発明の詳細な説明】
【技術分野】
【０００１】
本発明は、温水ミストの発生による浴室の暖房を行うミスト式浴室暖房装置に関するものである。
【背景技術】
【０００２】
従来のミスト式浴室暖房装置として、特許文献１に記載のものが公知である。図３は特許文献１に記載のミスト式浴室暖房装置を表した図である。ミスト式浴室暖房装置１００は、給湯管１０１から供給される温水を、温水ミストとして浴室内に噴霧するミスト・ノズル１０２，１０３，１０４を備えている。使用者は、図３に示すようにミスト式浴室暖房装置１００の正面に座って温水ミストを浴びる。ミスト・ノズル１０２は、使用者の肩に温水ミストを噴霧する。ミスト・ノズル１０３は、使用者の身体の腹部に向けて温水ミストを噴霧する。また、ミスト・ノズル１０４は、浴室の床に向けて、温水ミストを噴霧する。これにより、浴室空間をミスト・サウナ状態にして温浴効果を得る構成としている。
【０００３】
また、給湯管１０１の近傍に、温水の温度の検出を行う配管温度検出センサ１０５を設けている。この配管温度検出センサ１０５の検出温度が所定の閾値以下の場合、給湯管１０１からの温水を各ミスト・ノズル１０２，１０３，１０４に供給することなく、排水管１０６から排水する。これにより、使用者が冷水ミストを浴びることが防止される。
【特許文献１】特開２００３−４６２号公報
【発明の開示】
【発明が解決しようとする課題】
【０００４】
しかしながら、上記従来のミスト式浴室暖房装置１００では、水温が閾値以上であればミスト・ノズル１０２，１０３，１０４からミストの噴霧が開始される。従って、使用者がミスト式浴室暖房装置１００のスイッチを入れた直後に、使用者がミスト・ノズル１０２，１０３，１０４のごく近傍にいた場合には、そこから待避する間もなく、いきなりミストの噴霧が開始されることが考えられる。特に、温水の温度が高く設定されている場合には、使用者が突然に高温のミストを浴びることとなる。
【０００５】
そこで、本発明の目的は、使用者が不意に冷水ミストや熱水ミストを浴びる事故を防止することが可能なミスト式浴室暖房装置を提供することにある。
【課題を解決するための手段】
【０００６】
本発明に係るミスト式浴室暖房装置は、給湯管から供給される温水を噴霧するミスト・ノズルと、前記給湯管から前記ミスト・ノズルに供給される温水の断通を行う発停弁と、
を備えたミスト式浴室暖房装置において、前記ミスト・ノズル近傍の所定の範囲内に物体がある場合にそれを検出する人感センサと、前記人感センサが物体を検出しているときには前記発停弁を閉止状態とする制御を行う発停弁制御部と、を備えていることを特徴とする。
【０００７】
この構成によれば、人感センサが物体を検出しているときには、発停弁が閉止しているためミスト・ノズルからミストは噴霧されない。従って、使用者がミスト・ノズルに接近しているときに、ミスト・ノズルから冷水又は熱水のミストが噴霧され、使用者が水を浴びることとなったり、火傷を負ったりすることを防止することができる。
【０００８】
ここで、人感センサとしては、赤外線センサ、超音波センサ、ミリ波センサ等を使用することができる。
【発明の効果】
【０００９】
以上のように、本発明によれば、使用者がミスト・ノズルの手前近傍にいるときには、人感センサがそれを検出してミストは噴霧されない。従って、ミスト・ノズルから冷水又は熱水のミストが噴霧され、使用者が水を浴びることとなったり、火傷を負ったりすることを防止することができる。
【発明を実施するための最良の形態】
【００１０】
以下、本発明を実施するための最良の形態について、図面を参照しながら説明する。
【実施例１】
【００１１】
図１は本発明の実施例１に係るミスト式浴室暖房装置の外観図である。ミスト式浴室暖房装置１は、浴室の壁に設置されたカラン２の近傍の浴室の壁に取り付けられている。ミスト式浴室暖房装置１の給湯管３は、カラン２の給湯管４に直接接続されており、ここから温水が供給される。また、本実施例のミスト式浴室暖房装置１は電池駆動方式であるため、特に電気配線は必要とされない。
【００１２】
ミスト式浴室暖房装置１の表面パネル５の中央部には、運転の開始又は停止の動作指令を入力するための発停スイッチ６が設けられている。また、発停スイッチ６の上部には、現在の運転状態を表す運転ランプ７、電池切れの警報を表示する電源警報ランプ８、及び動作エラーが発生したことを表示するエラーランプ９が設けられている。発停スイッチ６の下部には、物体が近接したことを検出する人感センサ１０が設けられている。
【００１３】
本実施例においては、人感センサ１０としては、赤外線センサを使用しているが、センサの種類はこれに限られるものではなく、超音波センサ、ミリ波センサ等を使用してもよい。
【００１４】
また、表面パネル５の左右側辺付近と下辺付近には、それぞれ、ミスト・ノズル１１が３ずつ設けられている。表面パネル５の左右側辺付近のミスト・ノズル１１は、その吹き出し口が表面パネル５の正面方向に向けられており、下辺付近のミスト・ノズル１１は、その吹き出し口が斜め下方向に向けられている。
【００１５】
図２は実施例１に係るミスト式浴室暖房装置の構成を表すブロック図である。図２では、ミスト式浴室暖房装置１の内部構成を、配管系統２０と制御系統２３とに分けて抽象化して示している。
【００１６】
ミスト式浴室暖房装置１の配管系統２０は、給湯管３、９個のミスト・ノズル１１、配水管２１、及び発停弁２２により構成されている。給湯管３及びミスト・ノズル１１は、図１と同様のものである。
【００１７】
配水管２１は、給湯管３から供給される温水を、それぞれのミスト・ノズル１１に分配する管であり、Ｕ字型に曲折形成されている。そして、その中央部付近において、発停弁２２を介して給湯管３に接続されている。発停弁２２は、電動ラッチ式開閉弁である。この発停弁２２の開閉により、給湯管３から配水管２１への温水の断通が行われる。
【００１８】
制御系統２３は、発停スイッチ６、人感センサ１０、発停弁制御部２４、及び電源制御部２５を備えている。なお、本発明に直接関係しない部分については省略する。発停スイッチ６及び人感センサ１０は、図１と同様のものである。発停弁制御部２４は、発停弁２２の開閉制御を行う。また、電源制御部２５は電源電圧の制御を行う。ここで、本実施例のミスト式浴室暖房装置１は電池駆動式であるため、使用しないときには電源制御部２５によって電源電圧が使用状態のときよりも降圧されている。ミスト式浴室暖房装置１を使用するにあたっては、外部のリモコン装置（図示せず）等によりウェイクアップ命令を入力する。これにより、電源制御部２５は、電源電圧を昇圧して、ミスト暖房が使用可能な状態となる。
【００１９】
以上のように構成された本実施例に係るミスト式浴室暖房装置１において、以下その動作を説明する。
【００２０】
まず、最初に、ミスト式浴室暖房装置１はウェイクアップ状態にあるとし、発停弁２２は閉止状態にあるものとする。この状態で使用者が発停スイッチ６を押すと、発停弁制御部２４は、人感センサ１０の入力を検出して、ミスト式浴室暖房装置１の手前の所定の距離範囲内に物体（この場合には使用者）があるか否かを検出する。
【００２１】
ここで、所定の距離範囲は、自由に決めることができるが、通常は１０ｃｍ程度に設定しておくのがよい。この距離範囲は、人感センサ１０の出力電圧等の閾値により設定することが可能である。
【００２２】
人感センサ１０により物体が検出されている間は、発停弁制御部２４は、発停弁２２を閉止状態とする。人感センサ１０により物体が検出されなくなったときに、発停弁制御部２４は、発停弁２２を開弁する。これにより、各ミスト・ノズル１１から温水ミストが噴霧され始める。
【００２３】
また、発停弁２２が開弁状態において、使用者が再び発停スイッチ６を押した場合、又は人感センサ１０が感知した場合、発停弁制御部２４は、発停弁２２を閉止する。
【００２４】
このように、本実施例に係るミスト式浴室暖房装置１によれば、人感センサ１０によりミスト式浴室暖房装置１の前方の所定の距離内に使用者がいるか否かを検出し、検出された場合には発停弁２２を閉止することで、ミスト・ノズルから冷水又は熱水のミストが噴霧され、使用者が水を浴びることとなったり、火傷を負ったりすることを防止することができる。
【００２５】
実施例では人感センサの数を１つとして説明したが、２つ以上取り付けて安全性を高めることも可能である。
【図面の簡単な説明】
【００２６】
【図１】本発明の実施例１に係るミスト式浴室暖房装置の外観図である。
【図２】実施例１に係るミスト式浴室暖房装置の構成を表すブロック図である。
【図３】特許文献１に記載のミスト式浴室暖房装置を表した図である。
【符号の説明】
【００２７】
１  ミスト式浴室暖房装置
２  カラン
３，４  給湯管
５  表面パネル
６  発停スイッチ
７  運転ランプ
８  電源警報ランプ
９  エラーランプ
１０  人感センサ
１１  ミスト・ノズル
２０  配管系統
２１  配水管
２２  発停弁
２３  制御系統
２４  発停弁制御部
２５  電源制御部
【図１】
2005237475.tif 000003
【図２】
2005237475.tif 000004
【図３】
2005237475.tif 000005